(57)【要約】【課題】光ディスク装置において、ディスクの未記録部では回転数を制御するスピンドルサーボやトラッキングエラー信号を用いたトラッキングサーボが行えずサーボが暴走してしまう可能性があるため、レーザを照射している位置がディスクの未記録部であることを出来る限り早く検知しサーボの暴走を阻止する必要がある。【解決手段】トラッキングのずれ量に応じて生成される位相差によるＴＥ信号とディスクの反射光の光量和信号であるＡＳ信号を用いて、記録部よりも未記録部の信号振幅が大きくなるＡＳ信号の特徴を生かし、ＡＳ信号で正規化した位相差ＴＥ信号が所定の基準値に達するかどうかでディスクの未記録部を高精度に判断し、未記録部でのサーボの暴走を未然に阻止する。【選択図】図１
2006228267.tif 000002
【特許請求の範囲】
【請求項１】
光ディスクから記録情報を読み取る光ピックアップと、前記光ピックアップがトラックの半径方向にずれることによりピットを横切る際に得られる反射光の時間的変化を利用した位相差法によるトラッキングエラー信号を生成するＴＥ生成手段と、前記光ディスクからの反射光の光量和信号を生成するＡＳ生成手段とを具え、
前記ＴＥ生成手段により生成される位相差ＴＥ信号と前記ＡＳ生成手段によって生成されるＡＳ信号の両方を用い、前記光ディスクに対して前記光ピックアップがレーザを照射している位置を検出する位置検出手段と、前記光ピックアップがレーザを照射している位置が記録部か未記録部かを判断する未記録判断手段とにより、前記光ピックアップの位置を変更しながら、記録部では再生動作の実行、未記録部では再生動作の停止を行うことを特徴とする光ディスク装置。
【請求項２】
ＴＥ生成回路より生成される位相差ＴＥ信号を、前記ＡＳ生成回路より生成されるＡＳ信号で正規化した信号を、所定の基準値と比較することで記録部か未記録部かを判断することを特徴とする請求項１に記載の光ディスク装置。
【請求項３】
光ディスクから記録情報を読み取る光ピックアップと、前記光ピックアップがトラックの半径方向にずれることにより、ピットを横切る際に得られる反射光の時間的変化を利用した位相差法によるトラッキングエラー信号を生成するＴＥ生成回路と、光ディスクからの反射光の光量和信号以下  ＡＳ信号を生成するＡＳ生成回路を具え、前記ＴＥ生成回路より生成される位相差ＴＥ信号と前記ＡＳ生成回路より生成されるＡＳ信号の両方を用いて、前記光ディスクに対して前記光ピックアップがレーザを照射している位置が記録部か未記録部かを判断する未記録部判別方法。
【請求項４】
前記ＴＥ生成回路より生成される位相差ＴＥ信号を前記ＡＳ生成回路より生成されるＡＳ信号で正規化した信号を所定の基準値と比較することで記録部か未記録部かを判断することを特徴とする請求項３に記載の未記録部判別方法。
【発明の詳細な説明】
【技術分野】
【０００１】
本発明は、情報記録媒体及び情報記録再生装置及び方法に関し、特に再生可能な再生用ＤＶＤプレーヤ並びに録画再生用ＤＶＤプレーヤ及びこれらＤＶＤプレーヤに適応可能な技術に関わるものである。
【背景技術】
【０００２】
従来の光ディスク装置は図３に示すように、ＤＶＤ（デジタル多用途ディスク）やＣＤ（コンパクトディスク）等といった映像や音声が記録された光ディスク１上に書き込まれているピット情報を、光ピックアップ２に備わっているフォーカス、トラッキングアクチュエータや各種モータを制御することで読み込み、再生信号処回路４でＡＧＣ処理や波形等価処理といった前処理をした後にＡ／Ｄ変換回路５でディジタル信号に変換する。
【０００３】
ＤＳＰ６は、入力された再生信号に対して、Ａ／Ｄ変換の際のスライスレベルの決定、二値化された再生信号中の同期パターンを検出するＳｙｎｃ検出処理、二値化された再生信号のセルフクロック成分を用いたクロック同期信号の生成、再生信号に対するビタビ補正等といったディジタル信号処理や各種制御信号の生成を行ない、ディジタル処理された信号は復調回路１２で復調され、出力回路１３から映像や音声として出力される。
【０００４】
これらの処理において、ＤＳＰ６や復調回路１２を制御するのがマイコン１１の役割である。従来から光ディスク装置には、セットされたディスクが記録されたディスクであるのか未記録のディスクであるのかを判断する仕組みが実装されているが、その中の一つとして位相差法によるトラッキングエラー信号（以下  位相差ＴＥ信号と記す）を用いる方法がある。位相差ＴＥ信号は、ディスク上のビームスポットが個々のピットを横切る際に得られる反射光の時間的変化を用いて検出され、ピットの形成されていない未記録部ではゼロになるといった特徴がある。この特徴を利用したのが位相差ＴＥ信号を用いた未記録判別であるが、ここで用いられている位相差法は、ビームスポットが横切る個々のピットからＴＥ信号を検出するため、ピットの形状や深さの影響を受けやすいといった特徴もある。
【特許文献１】特開２００２−５００５４号公報
【発明の開示】
【発明が解決しようとする課題】
【０００５】
光ディスク装置において、未記録の光ディスクや、記録部が狭いディスク（大半が未記録部分のディスク）が装置にセットされた場合、ディスクの未記録部では回転数を制御するスピンドルサーボやＴＥ信号を用いたトラッキングサーボが行えずサーボが暴走してしまう可能性がある。そこで、レーザを照射している位置がディスクの未記録部であることを出来る限り早く検知し、サーボの暴走を阻止する必要がある。
【０００６】
ディスクの未記録部を検出する方法としては、トラッキングのずれ量によって生成される位相差法によるＴＥ信号を用いる方法があるが、この方法を用いても、ディスクの反射率の影響によるＴＥ振幅の変化やノイズの影響等により、未記録検出を間違える可能性が考えられる。そこで本発明では、より高精度に未記録検出を行なえる工夫を行い、ディスクの未記録部におけるサーボの暴走を未然に阻止することを目的とする。
【課題を解決するための手段】
【０００７】
本発明における光ディスク装置において、未記録のディスクや記録部の狭いディスクがセットされた場合、前記位相差ＴＥ信号とディスクの反射光の光量和信号（以下  ＡＳ信号と記す）を用いて、記録部よりも未記録部の信号振幅が大きくなるＡＳ信号の特徴を生かし、ＡＳ信号で正規化した位相差ＴＥ信号が所定の基準値に達するかどうかでディスクの未記録部を高精度に判断する。
【発明の効果】
【０００８】
本発明における光ディスク装置において、未記録ディスクや記録部の狭いディスクがセットされた場合、セットされたディスクの未記録部を高精度に判断可能であるため、未記録部でのサーボの暴走を未然に阻止することが可能である。
【発明を実施するための最良の形態】
【０００９】
本発明の請求項１〜４に記載の発明は、光ディスクから記録情報を読み取る光ピックアップと、前記光ピックアップがトラックの半径方向にずれることにより、ピットを横切る際に得られる反射光の時間的変化を利用した位相差法によるトラッキングエラー信号を生成するＴＥ生成手段と、光ディスクからの反射光の光量和信号を生成するＡＳ生成手段とを具え、前記ＴＥ生成手段により生成される位相差ＴＥ信号と前記ＡＳ生成手段によって生成されるＡＳ信号の両方を用い、前記光ディスクに対して前記光ピックアップがレーザを照射している位置を検出する位置検出手段と、前記光ピックアップがレーザを照射している位置が記録部か未記録部かを判断する未記録判断手段により、前記光ピックアップの位置を変更しながら、記録部では再生動作の実行、未記録部では再生動作の停止を行うものである。
【００１０】
これにより、未記録のディスクや記録部の狭いディスクがセットされた場合、前記位相差ＴＥ信号とディスクの反射光の光量和信号（以下  ＡＳ信号と記す）を用いて、記録部よりも未記録部の信号振幅が大きくなるＡＳ信号の特徴を生かし、ＡＳ信号で正規化した位相差ＴＥ信号が所定の基準値に達するかどうかでディスクの未記録部を高精度に判断する。
【００１１】
（実施の形態１）
図１に本発明における実施の形態１のブロック図を示す。
【００１２】
図において、１は映像信号や音声信号や各種情報信号などが記録された記録媒体である光ディスクで、本実施の形態ではＤＶＤ（デジタル多用途ディスク）やＣＤ（コンパクトディスク）などを用いたが、これらに限定されるものではなく、少なくとも光学式記録媒体であればよい。
【００１３】
２は光ディスク１に記録されたピット情報を読み出す読み出し手段である光ピックアップで、光信号を照射するレーザーダイオードや、光ディスク１の記録面を反射した光信号を分光するビームスプリッタや、アクチュエータ、光信号を受光する受光素子（フォトディテクタ）などから構成される。
【００１４】
３は光ピックアップ２に備わっているフォーカス、トラッキングアクチュエータやディスクの回転、光ピックアップの移動用に設けられた駆動手段である各種モータで、その動作はマイコン１１により制御されている。
【００１５】
４は光ピックアップ２から出力されるピット情報を入力し、ＡＧＣ（自動利得制御）処理や波形等価処理などの前処理を行う再生信号処理手段である再生信号処理回路である。
【００１６】
５は再生信号処理回路４で前処理されたアナログ信号のピット情報をデジタル信号に変換するＡ／Ｄ変換手段であるアナログ・デジタル変換回路（以下、Ａ／Ｄ変換回路と記す）である。
【００１７】
６は入力された再生信号に対して、Ａ／Ｄ変換の際のスライスレベルの決定、二値化された再生信号中の同期パターンを検出するＳｙｎｃ検出処理、二値化された再生信号のセルフクロック成分を用いたクロック同期信号の生成、再生信号に対するビタビ補正等といったディジタル信号処理や各種制御信号の生成を行なう信号処理手段であるデジタル・シグナル・プロセッサ（以下、ＤＳＰと記す）で、ＡＳ生成回路７、ＴＥ生成回路８、未記録判断手段９とから構成されている。
【００１８】
７は入力されるピット情報に基づき光量和信号（ＡＳ信号）を生成するＡＳ生成手段であるＡＳ生成回路で、ＡＳ信号は、光ディスク１の記録トラックにおいて、記録部分における信号レベルが、未記録部分における信号レベルよりも低くなる。
【００１９】
８は入力されるピット情報に基づき位相差トラッキングエラー信号を生成するＴＥ生成手段であるＴＥ生成回路である。
【００２０】
９はＡＳ生成回路７で生成されるＡＳ信号と前記ＴＥ生成回路８で生成される位相差ＴＥ信号の両方を用いて、前記光ピックアップ２がレーザを照射している位置を位置検出手段１０により検出しながら、レーザを照射している位置が未記録部か否か判断する未記録判断手段である。
【００２１】
１０は光ピックアップ２がレーザを照射している位置を検出する位置検出手段である。
【００２２】
１１は各回路・手段を制御する制御手段であるマイクロコンピュータ（以下、マイコンと記す）である。
【００２３】
１２はＤＳＰ６から出力される信号を映像音声信号に復調する復調手段である復調回路である。
【００２４】
１３復調回路１２で復調された映像音声信号を外部へ出力する出力端子である。
【００２５】
以上のように構成された本実施の形態について、以下その動作について説明する。
【００２６】
本発明における光ディスク装置に、ＤＶＤやＣＤ等といった映像や音楽が記録された光ディスク１がセットされた場合、前記光ディスク１上に書き込まれているピット情報を、光ピックアップ２に備わっているフォーカス、トラッキングアクチュエータやディスクの回転、光ピックアップの移動用に設けられた各種モータ３を制御することで読み込む。読み込まれたピット情報は再生信号処理回路４へ入力され、再生信号処理回路４でＡＧＣ処理や波形等価処理といった前処理をした後に、Ａ／Ｄ変換回路５でディジタル信号に変換する。
【００２７】
Ａ／Ｄ変換回路５からのディジタル信号はＤＳＰ６へ入力され、ＤＳＰ６は、入力された再生信号に対して、Ａ／Ｄ変換の際のスライスレベルの決定、二値化された再生信号中の同期パターンを検出するＳｙｎｃ検出処理、二値化された再生信号のセルフクロック成分を用いたクロック同期信号の生成、再生信号に対するビタビ補正等といったディジタル信号処理や各種制御信号の生成を行なう。前記ＤＳＰ６でディジタル処理された信号は復調回路１２で復調され、出力回路１３から映像や音声として出力される。
【００２８】
また前記ＤＳＰ６の内部には、ディスクの反射光量に応じたＡＳ信号を生成するＡＳ生成回路７や位相差法によるＴＥ信号を生成するＴＥ生成回路８があり、これらの各種制御信号は、サーボ処理を実行する際に使用される。また未記録判断手段９は、前記ＡＳ生成回路７で生成されるＡＳ信号と前記ＴＥ生成回路８で生成される位相差ＴＥ信号の両方を用いて、前記光ピックアップ２がレーザを照射している位置を位置検出手段１０により検出しながら、レーザを照射している位置が未記録部か否か判断する。
【００２９】
このような光ディスク装置の動作において、前記ＤＳＰ６や前記復調回路１２を制御するのがマイコン１１の役割である。
【００３０】
前記光ピックアップ２には、図２に示すようなフォトディテクタが配置されている。図２において、加算器２１、加算器２２、加算器２３は図１における前記ＡＳ生成回路７に相当し、加算器２４、加算器２５、位相比較器２６、ＬＰＦ２７は図１における前記ＴＥ生成回路８に相当する。尚図２において、図１における４、５は説明上省略をしている。
【００３１】
本発明における光ディスク装置において、前記光ピックアップ２が前記光ディスク１上のピットにレーザを照射した場合、前記光ディスク１からの反射光は、ビームスプリッタによって分けられ、トラッキング用ディテクタとフォーカス用ディテクタに光スポットを形成する。４つの前記トラッキング用フォトディテクタａ、ｂ、ｃ、ｄ上の光スポットの内、対角線上に配置された２つのフォトディテクタａ、ｃとｂ、ｄは、前記加算器２４と前記加算器２５でそれぞれ加算され、前記位相比較器２６で両信号の位相差に基づく信号が生成される。生成された信号は前記ＬＰＦ２７を通過し、位相差法によるＴＥ信号として生成される。また、受光素子面を挟んで前側に焦点のある光と後側に焦点のある光によって、４つの前記フォーカス用フォトディテクタｅ、ｆ、ｇ、ｈのそれぞれの分割線上に形成される光スポットを、前記加算器２１、前記加算器２２、前記加算器２３を用いて全て加算することにより、ＡＳ信号が生成される。
【００３２】
尚、本発明の説明においてフォーカス用フォトディテクタ上に形成される光スポットを加算してＡＳ信号としたが、トラッキング用フォトディテクタ上に形成される光スポットを加算してＡＳ信号とすることも可能であるし、フォーカス、トラッキング用フォトディテクタに形成される光スポットを全て加算してＡＳ信号とすることも可能であることは言うまでもない。
【００３３】
本発明における未記録部検出方法を図４に示す。図４に示す１〜３、７〜１１は図１と同様の構成である。尚、図１の４〜６、１２、１３も当然構成に含まれるが、説明の便宜上、図４では説明を省略をしている。本発明における光ディスク装置において、再生位置にセットされた前記光ディスク１が、未記録または記録部の狭いディスクであった場合、再生動作を行う以前の早い段階で、セットされた前記光ディスク１の未記録部に対して前記光ピックアップ２がレーザを照射することが考えられる。この場合、ディスクの未記録部では回転数を制御する回転サーボやＴＥ信号を用いたトラッキングサーボが行えないため、サーボが暴走してしまう可能性が考えられる。
【００３４】
そこで本発明における光ディスク装置においては、ディスクの記録部よりも未記録部の振幅が大きくなるというＡＳ信号の特徴を利用して、前記ＡＳ生成回路７と前記ＴＥ生成回路８によって生成されたＡＳ信号と位相差ＴＥ信号とから、
ＴＥn＝ＴＥ／ＡＳ
上式に基づいて正規化された前記位相差ＴＥ信号ＴＥnのレベルが、所定の基準値を超えるかどうかを判断する未記録判断手段９によって、ディスクの記録／未記録部の判断を行っている。
【００３５】
前記位相差ＴＥ信号を前記ＡＳ信号で正規化することにより、ノイズやディスクの反射率の影響が少なくなり、未記録部の誤検出を防ぐことが出来るため、前記光ピックアップ２がレーザを照射している位置が、ディスクの記録部であるのか未記録部であるのかを高精度に検出することが可能となる。
【００３６】
また本発明における光ディスク装置においては、前記光ピックアップ２がレーザを照射する位置を検出する前記位置検出手段１０により、前記光ピックアップ２の位置を前記モータ３の制御により変更しながら未記録部の判断を行なうことで、記録部の狭いディスクがセットされた場合はディスクの内周方向へ前記光ピックアップ２を送った後、前記未記録判断手段９を用いて検出した記録部で再生動作を実行可能であるし、未記録のディスクがセットされた場合は、内周方向へ前記光ピックアップ２を送った後もディスクが未記録であると判断されるため、サーボ処理を実行する前の段階で再生動作を停止することが可能である。
【００３７】
尚、図４における前記未記録判断手段９や前記位置検出手段１０は、図５に示すフローチャートのように、マイコン１１上のソフトウェアで実現することも可能である。光ディスク装置に前記光ディスク１がセットされた後、ステップＳ１において、前記光ピックアップ２のフォーカスアクチュエータを制御しながらディスクサーチを行う。ディスクサーチの後、ステップＳ２において、所定の回転数で前記光ディスク１を回転させながら、前記光ピックアップ２がレーザを照射している位置の前記ＡＳ信号、前記位相差ＴＥ信号を生成する。次にステップＳ３において、前記位相差ＴＥ信号の検出値を前記ＡＳ信号の検出値で除算し、ステップＳ４において所定の基準値との比較を行う。基準値との比較により、前記位相差ＴＥ信号を前記ＡＳ信号で除算した結果が基準値よりも大きいと判断された場合は、前記光ピックアップ２がレーザを照射している位置は記録部であるため、ステップＳ５においてサーボ処理を実行する。逆に基準値よりも小さいと判断された場合は、ステップＳ６において前記光ピックアップ２が前記光ディスク１の最内周の位置にあるかどうか判断する。判断の結果、前記光ピックアップ２が最内周にある場合は、セットされた前記光ディスク１は未記録ディスクであるため、ステップＳ７において再生動作を停止する。逆に、前記光ピックアップが最内周にない場合は、前記モータ３を制御して前記光ピックアップ２を前記光ディスク１の最内周へ送り、最内周位置で再び前記ＡＳ信号、前記位相差ＴＥ信号を生成する。
【００３８】
以上の動作により、本発明における光ディスク装置においては、サーボ処理を実行する前の段階でセットされた前記光ディスク１の未記録部を高精度に判断し、未記録部でサーボが暴走することを阻止することが可能である。
【産業上の利用可能性】
【００３９】
本発明における光ディスク装置は、反射率の影響やノイズの影響が少ない高精度な未記録部検出が可能な光ディスク装置として利用可能である。
【図面の簡単な説明】
【００４０】
【図１】本発明における光ディスク装置のブロック図
【図２】光ピックアップの構成とエラー信号生成に関するブロック図
【図３】従来の光ディスク装置のブロック図
【図４】本発明における未記録部検出方法のブロック図
【図５】本発明における未記録部検出方法のフローチャート
【符号の説明】
【００４１】
１    光ディスク
２    光ピックアップ
３    モータ
４    再生信号処理回路
５    Ａ／Ｄ変換回路
６    ＤＳＰ
７    ＡＳ生成回路
８    ＴＥ生成回路
９    未記録判断手段
１０    位置検出手段
１１    マイコン
１２    復調回路
１３    出力回路
２１    加算器
２２    加算器
２３    加算器
２４    加算器
２５    加算器
２６    位相比較器
２７    ＬＰＦ
【図１】
2006228267.tif 000003
【図２】
2006228267.tif 000004
【図３】
2006228267.tif 000005
【図４】
2006228267.tif 000006
【図５】
2006228267.tif 000007